(57)【要約】【課題】  扉にあるハンドル施錠装置の止め金を箱本体の受金部に締め付ける力を、前記ハンドル施錠装置の裏面の取り付け面積の取付孔より小さい面積に集約することにより、扉の変形を防ぐことで、扉外部から前記ハンドル施錠装置を取り付けた内部への漏水を阻止するハンドル施錠装置の取付構造を提供する。【解決手段】  ハンドルレバーをハンドルベースから引き出して、ハンドル軸を回動させることで、その先部にある止め金を箱本体の受金部に締め付けるハンドル施錠装置の取付構造であって、前記ハンドル施錠装置のハンドルベースの突起部と、本体取り付けねじ孔とを貫通する扉の貫通孔を設けて、その貫通孔とハンドル施錠装置に設けているパッキンにより、前記扉の貫通孔の周囲面を圧接するようにしたハンドル施錠装置の取付構造。【選択図】  図３
2014234592.tif 000002
【特許請求の範囲】
【請求項１】
箱本体から扉を開閉するために前記扉にハンドル施錠装置を取り付ける構造において、
該ハンドル施錠装置のハンドルベースに嵌入したハンドル軸に枢着したハンドルレバーを引き出して前記ハンドル軸を所要角回動することにより、前記ハンドル軸の先部に設置した止め金を前記箱本体の受金部に施錠及び解錠可能にすると共に、前記ハンドルベースの裏面と前記扉間に、パッキンに配置することで前記扉と前記ハンドル施錠装置間をシールする構造であって、
前記扉には、少なくとも前記ハンドルベースの突起部と、前記本体取り付けねじ孔とを、それぞれ貫通する貫通孔を設けることにより、前記本体取り付けねじ孔にネジを、前記扉とパッキンを介して、前記ハンドルベースにネジ込むことで、前記パッキンを前記各貫通孔の周囲面に圧接するようにしたことを特徴とするハンドル施錠装置の取付構造。
【請求項２】
前記ハンドルベースの裏面と扉間のパッキンが、前記ハンドルベースの裏面のロータ型錠前突起を被覆したものである請求項１に記載のハンドル施錠装置の取付構造。
【請求項３】
前記パッキンには、前記ハンドル軸を嵌入しているハンドルベースの周囲と、前記ハンドベースの上下にある本体取り付けねじ孔の周囲、及び前記ハンドルベースの全周とに、それぞれ同じ高さの突状縁部を設けた請求項１又は２に記載のハンドル施錠装置の取付構造。
【請求項４】
前記突状縁部の上部断面が、その外周を内周よりも高い二重の線状にして扉側と圧接した請求項３に記載のハンドル施錠装置の取付構造。
【発明の詳細な説明】
【技術分野】
【０００１】
本発明は、各種機器類の収納ボックスなどの扉に用いるハンドル施錠装置の取付構造に関するものである。
【背景技術】
【０００２】
ハンドル施錠装置を扉に取り付けた既知のものの一例としては、特許文献１の図7、図８と図９、及び明細書〔００２６〕に記載されている。これは、矩形に穿設した扉の取付孔（図９）の周表面と扉用ロックハンドル装置の固定ケースの外周（前記取付孔に沿った形態）とに介在したパッキング部材により、扉からの雨水等の浸水を防止している。
【０００３】
また、これと同様な技術が、特許文献２の〔図４〕と明細書〔０００８〕等にも記載されている。
【０００４】
しかし、これらに類似した技術は、添付の図１と図２に示すように、扉１００に設置したハンドル施錠装置１０１の止め金１０２を箱本体１０３の受金部１０４に締め付け施錠した状態において、前記締め付けの際に発生する応力（矢印）が、前記止め金１０２を掛止した受金部１０４からハンドルの施錠装置１０１を取り付けたハンドル軸１０７の矢印方向に向い、その反力がハンドル施錠装置１０１の上下に位置するパッキン１０５を介して前記扉１００の上下部に反力となって現われるために、縦長の取付孔１０６の周辺の扉１００を折り曲げ変形する。
【０００５】
この変形により、前記取付孔１０６とパッキン１０５との間の止水機能が不十分となり、扉用ロックハンドル装置１０１の腐食を招くだけでなく、箱本体内にある各種機器にも悪影響を与えるという問題点があった。
【先行技術文献】
【特許文献】
【０００６】
【特許文献１】特開２００４−２５１０３０号公報
【特許文献２】特開平８−８６１２８号公報
【発明の概要】
【発明が解決しようとする課題】
【０００７】
そこで、本発明は、上記問題点を解決するものであり、ハンドル施錠装置を取り付ける箇所の扉の強度を増大し、同装置と扉とのシール性を向上することを目的とする。
【課題を解決するための手段】
【０００８】
本発明の請求項１の要旨は、ハンドル施錠装置を取り付ける扉の取付孔の形態にあり、該取付孔の面積を少なくともハンドル軸を嵌装したハンドルベースと、前記ハンドル施錠装置を扉へ取り付ける本体取り付けねじ孔との貫通孔に限定することにより、今までのパッキンの取付孔のある扉表面の広い範囲でのシールよりも面積を小さくした前記それぞれの貫通孔の周囲に限られた範囲でシールすることで、前記取付孔における折り曲げ変形を小さくして防水効果を上げるハンドル施錠装置の取付構造にある。
【０００９】
前記ハンドルベース内に収納係止しているハンドル軸に枢着したハンドルレバーを、別途用意した鍵でロータ型錠前突起を回動して前記係止しているハンドル軸の回動を解除することにより、ハンドルベースからハンドルレバーを引き出して回動することにより、前記ハンドル軸の先部に設置した止め金を箱本体の受金部に施錠及び解錠する。この場合ロータ型錠前突起を全て前記したパッキンで被覆することで扉表面からの浸水を防止することができる。
【００１０】
前記ハンドルベースと扉間にある前記パッキンの扉側には、前記ハンドルベースの突起部の周囲と、前記ハンドルベースの上下位置にある本体取り付けねじ孔の周囲と、前記ハンドルベースの全周とに、それぞれ同じ高さの突状縁部を設けることにより、扉とハンドルベース間からの浸水の防止効果を上げる。
【発明の効果】
【００１１】
前記突状縁部の頂部にある外周を内周よりも高くすることで、頂部の面状シールから線状シールにした。
【００１２】
ハンドル施錠装置を取り付けた扉を箱本体に施錠する場合、その取り付け扉に少なくともハンドルベース裏面の突起部と本体取り付けねじ孔とを各貫通する貫通孔を設けることで、従前の扉にハンドルベースの外周よりやや小さめの取付孔を設ける面積よりも、前記各貫通孔を加えた面積を小さくし、施錠時の貫通孔周辺の応力集中を分散することにより、ハンドル施錠装置周辺の扉の曲折を小さく抑えてその箇所の防水効果を上げる。
【００１３】
ハンドル施錠装置にロータ型錠前突起が存在する場合には、その突起部にもパッキンを被覆することで、扉表面からの浸水を防止する。
【００１４】
ハンドルベースと扉間のパッキンの扉側には、ハンドルベースの突起部の周囲と、ハンドルベースの上下にある本体取り付けねじ孔の周囲と、前記ハンドルベースの全周とに、それぞれ同じ高さの突状縁部を設けることで、扉とハンドルベース間からの浸水を突状縁部において応力集中させて浸水を防止できる。
【００１５】
前記突状縁部の頂部厚みにある外周を内周より高くすることで、前記各貫通孔の周囲の扉とハンドル施錠装置間のシール力を増大することができる。
【図面の簡単な説明】
【００１６】
【図１】従来の扉へハンドル施錠装置を取り付けた状態の断面図である。
【図２】図１のハンドル施錠装置を取り付けた場合の扉において、同取り付け箇所における扉の曲折状態を示す斜視図である。
【図３】本発明であるハンドル施錠装置を取り付ける扉に貫通孔を設けた説明図である。
【図４】本発明のハンドル施錠装置を用いて扉を箱本体に取り付けた平面図である。
【図５】図４の背面図である。
【図６】図４のＡ−Ａ断面図である。
【図７】図４からハンドルレバーを引き出した平面図である。
【図８】図７のハンドルレバーを廻して止め金を箱本体から外した平面図である。
【図９】図９は本発明に用いるパッキンの平面図である。
【図１０】図９の背面図である。
【図１１】図９のＢ−Ｂ断面図である。
【発明を実施するための形態】
【００１７】
ハンドル施錠装置を扉に取り付ける場合、今まで当該装置のパッキンにより、扉に設けた一つの縦に長い取付孔に沿ってシールしていたが、本発明では扉にハンドル施錠装置を取り付ける取付孔を、その取付孔の面積よりも合計で小さい面積となる、少なくとも当該装置の本体取り付けねじ孔とハンドルベース裏面の突起部とを貫通する貫通孔を扉に設けることにより、前記扉を介して本体取り付けねじ孔にネジをネジ込んで、前記ハンドル施錠装置のパッキンを前記各貫通孔の周囲面に圧接するようにしたものである。
【実施例１】
【００１８】
図３乃至図６に示すように、扉１に設置したハンドル施錠装置３の主な部品は、ハンドルベース４とハンドル軸６とハンドルレバー５、止め金７、及びパッキン１０から構成される。なお、ここでいう施錠装置３の定義は、鍵によりロータ型錠前をロックとアンロックするという意味ではなく、単に扉１を箱本体２からの開放と非開放をする機能を有するというものである。
【００１９】
そこで、ハンドルベース４に貫通している環状受溝１４には、ハンドル軸６が嵌入され、その軸６の基部に設けた前記環状受溝１４に架設された枢軸１５に、その先部を枢着しているハンドルレバー５を前記ハンドルベース４から引き出して回動することにより、前記ハンドル軸６を回動する構造になっている。ハンドル軸６の先部にはワッシャー１６を介して止め金７をねじ１２で固定し、前記ハンドルベース裏側の突起部８の先部外周に係止突起（図示せず）を設けておく。その突起の周囲を前記止め金７と共に回動する９０度の切り欠き溝（図示せず）を有する制御板１７が、前記９０度の範囲で回動制御することにより、前記ハンドルレバー５でハンドル軸６を回動して図７から図８に回転して扉１の止め金７を箱本体２の受金部１１から離脱により施錠を解き、又その逆回転により図８から図７に回転することで、止め金７を受金部８に係止して施錠する構成といった周知の機構になっている。
【００２０】
なお、ハンドルベース４の下部にロータ型錠前突起１３を設けて、別途用意した鍵により、前記ハンドルベース４に枢着しているハンドルレバーを回動して、止め金７の受金部８からの開放と、引き出しを可能にしている。
【００２１】
一方、ハンドル施錠装置３の上下部には、２本の本体取り付けねじ孔１８が設けられ、扉２の裏側から上下の本体取り付けねじ９により、箱本体２に設けた凹状の受金部１１の位置に対応して、扉１の表面に固定されている。
【００２２】
本発明の要部は、扉１とハンドルベース４との間に位置し、ハンドル施錠装置３側にパッキン１０を添付しているが、その扉１には、従来の縦長の取付孔ではなく、図３に示すように、前記上下の本体取り付けねじ孔１８に本体取り付けねじ９を通す扉の貫通孔１９，１９’と、ハンドル軸６を嵌入したハンドルベースの突起部８を通す貫通孔１９”、及びハンドルベース４のロータ型錠前突起１３を通す貫通孔１９”'を設けている点にある。なお、これらの貫通孔の面積の合計は、前記従前の取付孔の面積より小さくしている。
【００２３】
この場合、ハンドル施錠装置３の裏面に取り付けたパッキン１０は、図６に示すように、扉１とハンドルベース４の間に位置している。図９と図１１のパッキンの扉１側では、平面（図９）と背面（図１０）の外形が、ハンドルベース４の平面形状と略同型であり、その全周にある突状縁部の上部縦断面に外周端５１の高さよりも内周端５２の高さが低い二重の線状の無端シール部５３の厚さを有する。また、パッキン１０の上下には本体取り付けねじ孔１８の周囲に位置する孔５９の周囲にも、前記したと同様に、縦断面で外周端５４の高さよりも内周端５５の高さが低い二重の線状にした無端シール部５６を前記した本体取り付けねじ孔の外周に有し、しかも前記ねじ孔１８の高さよりも高くして、前記シール部５３の高さと同一にする。さらに、ハンドルベース４の外周囲に位置するようにした孔６０の回りにも、縦断面で外周端５７の高さよりも内周端５８の高さが低い、前記シール部５３と同一の断面形状をしている。このように、パッキン１０における上方に突起している突出縁部の外周端を内周端よりも高くすることにより、扉１と接触する箇所を外周端と内周端の二重にした線状にシールすることで面状シールよりもシール効果を上げている。なお、パッキン１０には、前記ロータ型錠前突起１３の全外周をカバー６１で被覆している。
【００２４】
また、図１０と図１１の右側はパッキンのハンドルベース４に接触する側の図面であり、そのハンドルベース４側に補強リブ６２を設けることで、パッキン１０自体の補強だけでなく、ハンドルベースの内側にパッキン１０の一部が入り込むことを防止している。
【００２５】
上記構成からなる本発明のハンドル施錠装置の取付構造では、当該施錠装置のハンドルベースの突起部と本体取り付けねじ孔の周囲に位置するパッキンの貫通孔にハンドル施錠装置を貫通したものを扉に取り付け、ハンドル軸を回動してその先部にある止め金を箱本体の受金部に締め付けて掛止しても、前記各貫通孔をプラスした孔の面積は、従来品の扉におけるハンドル施錠装置の取付孔の面積よりも小さく、分散している。しかも、本発明では前記各貫通孔の周囲面をハンドル施錠装置に付設しているパッキンでシールすることで、前記締め付け時にハンドル軸に掛かる応力を、その応力に対する反力を面積の小さい貫通孔の回りに分散することにより施錠装置による扉の大きな変形を防止することができ、扉の内部に漏水の侵入を限りなく阻止する。
【００２６】
また、パッキンの扉側にはハンドル軸を嵌入しているハンドルベースの突起部の周囲と、ハンドルベースの上下にある本体取り付けねじ孔の周囲、及びハンドルベースの全周とに扉と圧接する突起縁部を設けることにより、これらの周囲と外周との扉側とハンドル施錠装置間に面状の止水効果を高める。
さらに、前記突状縁部の上部断面の外周を内周よりも高い線状にして、扉側と外周の高い線状と内周の低い線状との二重線で圧縮することでシール効果をさらに十分にすることができる。
【産業上の利用可能性】
【００２７】
本発明は、配電盤、各種計器などの箱本体の扉に用いるハンドル施錠装置の取付構造に用いられる。
【符号の説明】
【００２８】
１９，１９'，１９”・・・貫通孔
１００・・・扉
１０１・・・ハンドル施錠装置
１０２・・・止め金
１０３・・・箱本体
１０４・・・受金部
１０５・・・パッキン
【図１】
2014234592.tif 000003
【図２】
2014234592.tif 000004
【図３】
2014234592.tif 000005
【図４】
2014234592.tif 000006
【図５】
2014234592.tif 000007
【図６】
2014234592.tif 000008
【図７】
2014234592.tif 000009
【図８】
2014234592.tif 000010
【図９】
2014234592.tif 000011
【図１０】
2014234592.tif 000012
【図１１】
2014234592.tif 000013